(57)【要約】【課題】全体的な二次元空間による集光の効率を高めることができ、模様重ね（Ｍｏｒｉｅ）の現象を減らすことができ、そして光学の表示特性を高めることができる均一波面の輝度増強フィルムを提供する。【解決手段】波面フィルムにより構成される均一波面の輝度増強フィルムである。波面フィルムには上表面と下表面が設けられ、上表面には複数個の輝度増強ユニットによって一つの配列が形成され、輝度増強ユニットは第一曲面および第二曲面により形成され、それぞれの曲面は下方へ延伸して曲底辺が形成されることにより、上記曲面には均一な曲面が形成するように構成されている。【選択図】　　図１
0003097112.tif 000002
【実用新案登録請求の範囲】
【請求項１】
波面フィルム（３１）、複数個の輝度増強ユニット（３１１）および複数個の曲底辺（３１２ａ、３１３ａ）により構成される均一波面の輝度増強フィルムであって、波面フィルム（３１）には上表面と下表面が設けられ、波面フィルム（３１）は光線を通過させるのに用いることができると共に、屈折を生じさせることができ、複数個の輝度増強ユニット（３１１）により波面フィルム（３１）の上表面において一つの配列が形成され、輝度増強ユニット（３１１）により光線を導引して二次元空間による屈折を生じさせることによって集光が形成され、複数個の曲底辺（３１２ａ、３１３ａ）は輝度増強ユニット（３１１）の底周縁に位置するように形成されることにより、輝度増強ユニット（３１１）の底面に近い表面には均一曲面（３１２、３１３）が形成され、均一曲面（３１２、３１３）には曲率が形成されることにより、光線を導引して二次元空間による屈折を生じさせることを特徴とする均一波面の輝度増強フィルム。
【請求項２】
輝度増強ユニット（３１１）には第一曲面（３１２）および第二曲面（３１３）が含まれ、第一曲面（３１２）および第二曲面（３１３）は下方へ延伸してそれぞれ第一曲底辺（３１２ａ）および第二曲底辺（３１３ａ）が形成されることにより、第一曲面（３１２）および第二曲面（３１３）は均一な表面曲率を有するように形成されることを特徴とする請求項１記載の均一波面の輝度増強フィルム。
【請求項３】
輝度増強ユニット（３１１）は不規則な配列によって均一波面の輝度増強フィルムが形成されることを特徴とする請求項１記載の均一波面の輝度増強フィルム。
【考案の詳細な説明】
【０００１】
【考案の属する技術分野】
本考案は、均一波面の輝度増強フィルムに関するもので、特に表示器（Ｄｉｓｐｌａｙ）に使用される輝度増強フィルムで、その輝度増強ユニットの波面には均一な曲率を有するため、光学の特性（Ｏｐｔｉｃａｌ　Ｃｈａｒａｃｔｅｒｉｓｔｉｃ）を高めることができる均一波面の輝度増強フィルムに係るものである。
【０００２】
【従来の技術】
従来この種のものにあっては、下記のようなものになっている。
【０００３】
従来の輝度増強フィルムとしては、図５に示すように、波面の輝度増強フィルムにはベース１および複数個の菱状柱体２が含まれ、菱状柱体２はベース１の表面に配列される。菱状柱体２は第一平面２ａおよび第二平面２ｂにより構成され、菱状柱体２により光線を屈折することによって集光の現象を生じさせるようにとしたものがある（例えば、特許文献１を参照）。
【０００４】
また、従来の輝度増強フィルムとしては、図６に示すように、波面の輝度増強フィルム（Ｂｒｉｇｈｔｎｅｓｓ　Ｅｎｈａｎｃｅｍｅｎｔ　Ｆｉｌｍ）１０にはベース１１および波面微細条層（Ｂｒｉｇｈｔｎｅｓｓ　Ｌａｙｅｒ）１２が含まれる。ベース１１には上表面と下表面が形成され、上表面には複数個の波面細条（Ｒｉｐｐｌｅｄ　Ｒｉｄｇｅ）１２１が配列される。波面細条１２１は複数個の輝度増強ユニット（Ｂｒｉｇｈｔｎｅｓｓ　Ｕｎｉｔ）１２２が配列されてなるもので、輝度増強フィルム１２２には曲面が形成され、上記曲面によって二次元空間による光線の屈折が行なわれるため、輝度増強ユニット１２２から二次元空間による集光現象を生じさせることができる。ベース１１の上表面に波面細条層１２の下表面が貼接することにより、波面の輝度増強フィルム１０が形成されるようにとしたものがある（例えば、特許文献２を参照）。
【０００５】
【特許文献１】
ＰＣＴ特許出願番号第Ｗ０９６／２３６４９号
【特許文献２】
米国特許番号第６２７７４７１号
【０００６】
【考案が解決しようとする課題】
上記のような従来のＰＣＴ特許出願番号第Ｗ０９６／２３６４９号の輝度増強フィルムにおいては、第一平面２ａおよび第二平面２ｂは平面で、曲面とは異なるため、その平面には一次元空間による屈折の光線しか生じることができず、そのために上記輝度増強フィルムから一次元空間による集光の現象しか生じることができないという問題点があった。
【０００７】
また、上記のような従来のアメリカ特許番号第６，２７７，４７１号の輝度増強フィルムにおいては、図６に示すように、ＰＣＴ特許出願番号第Ｗ０９６／２３６４９号の第一平面２ａおよび２ｂの代わりに輝度増強ユニット１２２の一対の曲面によって一次元空間による集光の現象を改善しようとしている。図７に示すように、輝度増強ユニット１２２は第一曲面１２３および第二曲面１２４により構成され、第一曲面１２３および第二曲面１２４の表面の曲率により光線を導引して屈折を生じさせることにより、集光の功能をもたらすものである。構造上において、第一曲面１２３および第二曲面１２４は波面細条層１２の上表面まで緩く傾斜するように形成されるため、第一曲面１２３および第二曲面１２４の底辺には共同で直底辺１２５が形成される。直底辺１２５は二個の隣接する輝度増強ユニット１２２の間に位置するように形成されると共に、互いに真直ぐに連接して波谷になるように形成される。また、第一曲面１２３および第二曲面１２４は表面の曲率を利用して光線を導引して屈折を生じさせなければならず、しかし、第一曲面１２３および第二曲面１２４は緩く傾斜して直底辺１２５が形成されると共に、直底辺１２５の近くの表面は略平坦な平面に形成されるため、直底辺１２５の近くの平坦な表面には光線を導引して二次元空間による屈折を生じさせることができる表面曲率は存在しない。第一曲面１２３および第二曲面１２４は二次元空間による集光の功能を有しているが、直底辺１２５の存在によって全体表面の二次元空間による集光の効率を下げてしまうという問題点があった。
【０００８】
本考案は、このような問題点に鑑みて考案したものであって、その目的とするところは、輝度増強ユニットの曲面を下方へ延伸して曲底辺を形成させることにより、上記曲面には全体的に均一な曲面を有するため、各曲面における全体的な二次元空間による集光の効率を高めることができる均一波面の輝度増強フィルムを提供しようとするものである。
【０００９】
本考案の第一の目的は、輝度増強ユニットの曲面を下方へ延伸して曲底辺を形成させることにより、上記曲面には全体的に均一な曲面を有するため、全体的な二次元空間による集光の効率を高めることができる均一波面の輝度増強フィルムを提供しようとするものである。
【００１０】
本考案の第二の目的は、輝度増強ユニットの配置を不規則な配列に形成させることにより、模様重ね（Ｍｏｒｉｅ）の現象を減らすことができるため、光学の表示特性を高めることができる均一波面の輝度増強フィルムを提供しようとするものである。
【００１１】
【課題を解決するための手段】
上記目的を達成するために、本考案による均一波面の輝度増強フィルムは、下記のようになるものである。すなわち、
波面フィルム、複数個の輝度増強ユニットおよび複数個の曲底辺により構成される。波面フィルムには上表面と下表面が設けられ、波面フィルムは光線を通過させるのに用いることができると共に、屈折を生じさせることができる。複数個の輝度増強ユニットにより波面フィルムの上表面において一つの配列が形成され、輝度増強ユニットにより光線を導引して二次元空間による屈折を生じさせることによって集光が形成される。複数個の曲底辺は輝度増強ユニットの底周縁に位置するように形成されることにより、輝度増強ユニットの底面に近い表面には均一曲面が形成され、均一曲面には曲率が形成されることにより、光線を導引して二次元空間による屈折を生じさせる。
【００１２】
本考案による均一波面の輝度増強フィルムは、輝度増強ユニットには第一曲面および第二曲面が含まれ、第一曲面および第二曲面は下方へ延伸してそれぞれ第一曲底辺および第二曲底辺が形成されることにより、第一曲面および第二曲面は均一な表面曲率を有するように形成されることもできる。また、輝度増強ユニットは不規則な配列によって均一波面の輝度増強フィルムが形成されることもできる。
【００１３】
【考案の実施の形態】
本考案の実施の形態について、以下、図面を参照して説明する。
【００１４】
図１は本考案の実施形態の均一波面の輝度増強フィルムによる斜視図で、図２は本考案の実施形態の均一波面の輝度増強フィルムによる局部の拡大図で、図３は本考案の実施形態の均一波面の輝度増強フィルムによる曲面基本ユニット体の斜視図で、図４は本考案の実施形態の均一波面の輝度増強フィルムによる曲面基本ユニット体の多重の斜視図である。
【００１５】
図１、２を参照すると、本考案の実施形態の波面の増強フィルム３は波面フィルム３１に属する。波面フィルム３１は微細構造層（Ｍｉｃｒｏｓｔｒｕｃｔｕｒｅ）に属するもので、波面フィルム３１には上表面および下表面が形成され、光線は上記下表面から上記上表面まで貫穿することができる。波面フィルム３１の微細構造層は実質上として波峰と波谷を有するように形成される。
【００１６】
再び図１、２を参照すると、波面フィルム３１の上表面には複数個の輝度増強ユニット３１１が配列され、そして不規則な配列に形成される。輝度増強ユニット３１１によって表面の二次元空間による集光の効率を高めることができる。光線が上記下表面から上記上表面まで貫穿した時、均一な二次元空間による屈折を生じることができる。
【００１７】
再び図２を参照すると、輝度増強ユニット３１１は第一曲面３１２および第二曲面３１３により形成されるため、波面フィルム３１の上表面には隆起した波峰ユニット体が形成される。波面フィルム３１の上表面は第一曲面３１２および第二曲面３１３が隣接に配列してなるものである。
【００１８】
図２、３を参照すると、輝度増強ユニット３１１は曲面基本ユニット体３０により構成される。そのため、波面フィルム３１は複数個の曲面基本ユニット体３０が互いに連結して構成される。曲面基本ユニット体３０の曲面のいかなる線条は曲線に属するように形成され、即ち上記曲線には曲率が形成される。そのため、上記曲面基本ユニット体３０の曲面には二次元空間による屈折が生じられる。
【００１９】
図３、４を参照すると、曲面基本ユニット体３０が切り割られると、第一切塊３０ａ、第二切塊３０ｂ、第三切塊３０ｃおよび第四切塊３０ｄが形成され、さらに第一曲線３００ａ、第二曲線３００ｂおよび第三曲線３００ｃが形成される。この時、第一曲線３００ａ、第二曲線３００ｂおよび３００ｃの間には少し異なる曲率を有するように形成されることにより、異なる光線の屈折角度が形成される。
【００２０】
再び図２、３を参照すると、第一曲面３１２および第二曲面３１３が隣接する部位には山脊部が形成される。同時に、第一曲面３１２および第二曲面３１３の表面は下方へ延伸してそれぞれ第一曲底辺３１２ａおよび第二曲底辺３１３ａが形成されることにより、第一曲底辺３１２ａおよび第二曲底辺３１３ａは均一な表面曲率を有するように形成される。言い換えれば、第一曲底辺３１２ａおよび第二曲底辺３１３ａは共同で輝度増強ユニット３１１の間の底周縁の境界を限定するように形成される。構造上において、第一曲底辺３１２ａおよび第二曲底辺３１３ａは波谷の内部まで延伸するように形成される。図３に示すように、第一曲底辺３１２ａおよび第二曲底辺３１３ａは二個の隣接する曲面基本ユニット３０の境界によって形成される。
【００２１】
再び図３、４を参照すると、第一曲底辺３１２ａおよび第二曲底辺３１３ａが設置されることにより、輝度増強ユニット３１１の底部は波谷の内部へ異なる深さが形成される。同時に、第一曲面３１２および第二曲面３１３の表面は上部から底部まで均一に対称するように延伸されることにより、第一曲面３１２および第二曲面３１３が近接する底部の表面には一定の表面曲率が形成され、第一曲面３１２および第二曲面３１３が近接する底部の表面にも光線の二次元空間による屈折が生じるため、全体的な二次元空間による集光の効率を高めることができる。
【００２２】
図５、２を参照すると、本考案の実施形態の輝度増強ユニット３１１の第一曲面３１２および第二曲面３１３によって完全な二次元空間による集光を達成することができるため、ＰＣＴ特許出願番号第Ｗ０９６／２３６４９号の第一平面２ａおよび第二平面２ｂの平面における一次元空間による集光の問題点を改善することができる。
【００２３】
図６、２を参照すると、アメリカ特許番号第６，２７７，４７１号の波面の輝度増強フィルム１０の直底辺１２５の近くの平坦な表面では光線を導引して屈折を生じさせることができないため、全体的な表面の集光の効率を下げてしまう。それに反して、本考案の波面の輝度増強フィルム３の曲底辺３１２ａおよび３１３ａの近くの曲表面によれば、光線を導引して二次元空間による屈折を生じさせることができるため、全体的な表面の集光の効率を高めることができる。
【００２４】
【考案の効果】
本考案の均一波面の輝度増強フィルムによれば、輝度増強ユニットの曲面を下方へ延伸して曲底辺を形成させることにより、上記曲面には全体的に均一な曲面を有するため、全体的な二次元空間による集光の効率を高めることができるという利点がある。
【００２５】
本考案の均一波面の輝度増強フィルムによれば、輝度増強ユニットの配置を不規則な配列に形成させることにより、模様重ね（Ｍｏｒｉｅ）の現象を減らすことができるため、光学の表示特性を高めることができるという利点がある。
【００２６】
本考案は、その精神及び必須の特徴事項から逸脱することなく他のやり方で実施することができる。従って、本明細書に記載した好ましい実施例は例示的なものであり、限定的なものではない。
【図面の簡単な説明】
【図１】本考案の実施形態の均一波面の輝度増強フィルムによる斜視図である。
【図２】本考案の実施形態の均一波面の輝度増強フィルムによる局部の拡大図である。
【図３】本考案の実施形態の均一波面の輝度増強フィルムによる曲面基本ユニット体の斜視図である。
【図４】本考案の実施形態の均一波面の輝度増強フィルムによる曲面基本ユニット体の多重の斜視図である。
【図５】従来のＰＣＴ特許出願番号第Ｗ０９６／２３６４９号の「波面の輝度増強フィルム」による斜視図である。
【図６】従来のアメリカ特許番号第６，２７７，４７１号の「波面の輝度増強フィルム」による斜視図である。
【図７】従来のアメリカ特許番号第６，２７７，４７１号の「波面の輝度増強フィルム」による局部の拡大図である。
【符号の説明】
１　　ベース　　　　　　　　　　　　２　　菱状柱体
２ａ　　第一平面　　　　　　　　　２ｂ　　第二平面
１０　　波面の増強フィルム　　　　　１１　　ベース
１２　　波面微細条層　　　　　　　１２１　　波面微細条
１２２　　輝度増強ユニット　　　　　１２３　　第一曲面
１２４　　第二曲面　　　　　　　　　１２５　　直底辺
３　　波面の増強フィルム　　　　　３０　　曲面基本ユニット体
３０ａ　　第一切塊　　　　　　　　　３０ｂ　　第二切塊
３０ｃ　　第三切塊　　　　　　　　　３０ｄ　　第四切塊
３００ａ　　第一切線　　　　　　　　３００ｂ　　第二切線
３００ｃ　　第三切線　　　　　　　　　　３１　　波面フィルム
３１１　　輝度増強ユニット　　　　　　３１２　　第一曲面
３１２ａ　　第一曲底辺　　　　　　　　３１３　　第二曲面
３１３ａ　　第二曲底辺
【図１】
0003097112.tif 000003
【図２】
0003097112.tif 000004
【図３】
0003097112.tif 000005
【図４】
0003097112.tif 000006
【図５】
0003097112.tif 000007
【図６】
0003097112.tif 000008
【図７】
0003097112.tif 000009